(57)【要約】      （修正有）【課題】ディスプレイ台の寸法を変更することなく環状の冷温表示体および販売価格表示用のデジタル表示器を搭載することが可能な自動販売機を提供する。【解決手段】ディスプレイ台１０に複数の商品見本８を載置し、当該商品見本８に対応した冷温パターンを表示する環状の冷温表示体２０および前記複数の商品見本８に対応して設けられ、当該商品見本８の販売価格を個別に表示するデジタル表示器３１からなる価格表示体を備えた自動販売機であって、前記価格表示体を、前記デジタル表示器３１を内蔵した左右方向に横長の価格表示モジュール３０として形成して成り、前記環状の冷温表示体２０をディスプレイ台１０の上面部近傍位置に配設し、前記価格表示モジュール３０を前記冷温表示体２０の下方領域であってディスプレイ台１０の前面に露出するように配設した。【選択図】図１
2010026566.tif 000002
【特許請求の範囲】
【請求項１】
外扉のディスプレイ室内に配設されたディスプレイ台に複数の商品見本を左右方向に並べて載置し、当該商品見本に対応した冷温パターンを表示する環状の冷温表示体および前記複数の商品見本に対応して設けられ、当該商品見本の販売価格を個別に表示するデジタル表示器からなる価格表示体を備えた自動販売機であって、前記価格表示体は前記デジタル表示器を内蔵した左右方向に横長の価格表示モジュールとして形成して成り、前記環状の冷温表示体をディスプレイ台に配設される照明光源と前後方向に重ならないディスプレイ台の上面部近傍位置に配設し、前記価格表示モジュールを前記冷温表示体の下方領域であってディスプレイ台の前面に露出するように配設したことを特徴とする自動販売機。
【請求項２】
請求項１記載の自動販売機において、環状の冷温表示体は光透過材料からなり、ディスプレイ台の内部に配設された照明光源をバックライト光源とすることを特徴とする自動販売機。
【請求項３】
請求項１に記載の自動販売機において、価格表示モジュールは複数のデジタル表示器が実装されたプリント基板と、このプリント基板およびデジタル表示器の前面を覆うフィルター部材を内蔵し、個別の価格表示を行うデジタル表示器に対応した複数の表示窓を有するケースとからなり、前記ケースをディスプレイ台に固定して成ることを特徴とする自動販売機。
【請求項４】
請求項３に記載した自動販売機において、ケースは白色又はフィルター部材を透視可能な無色透明であることを特徴とする自動販売機。
【発明の詳細な説明】
【技術分野】
【０００１】
この発明は、缶入り飲料などの商品を加熱（ホット），冷却（コールド）状態に保存して販売する自動販売機であって、外扉のディスプレイ室内に設置されたディスプレイ台上に複数の商品見本を左右に並べて展示し、前記商品見本に対応した冷温パターンを表示した冷温表示体および価格表示体を備えた自動販売機に関する。
【背景技術】
【０００２】
缶入り飲料，瓶入り飲料，ペットボトル飲料などの商品を販売する自動販売機は断熱筐体としてなる本体キャビネットの庫内に前記商品をコールド，ホット状態に区分して保存し、外扉のディスプレイ室内に設置されたディスプレイ台上に複数の商品見本を左右に並べて展示し、前記商品見本に対応して設けられた商品選択ボタンの操作に基いて選択された商品を販売するように構成されている。この種の従来の自動販売機について図３を用いて説明する。
【０００３】
図３に示すように、この自動販売機は、前面が開口した断熱筐体として形成された本体キャビネット１と、本体キャビネット１の前面にヒンジにより開閉可能に支持された外扉２とからなる。本体キャビネット１の開口面は開閉可能な断熱内扉３によって閉塞されて商品収納庫を画成している。本体キャビネット１の庫内は、断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
【０００４】
前記外扉２の前面の上部域はアクリル樹脂からなる透明パネル４で覆われ、この透明パネル４と外扉２に片開き式に軸支されたディスプレイ扉６との間の空間がディスプレイ室５として形成されている。前記ディスプレイ扉６の前面には、本体キャビネット１の庫内に収容した商品に対応した複数の商品見本８を左右に一列に並べて載置したディスプレイ台７が上下方向に３段取付けられている。前記透明パネル４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。また、前記外扉２の前面には不図示の硬貨投入口、紙幣挿入口、返却レバー、ロック付ハンドル（外扉ロック装置）、硬貨返却口などに加えて商品取出口２１が設けられている。さらに、前記外扉２の背面には硬貨投入口に連通したコインメカニズム２２、このコインメカニズム２２に連通した金庫２３、紙幣挿入口に連通した紙幣識別装置２４などが設けられている。なお、ディスプレイ室５の上部およびディスプレイ台７の下部には商品見本８などを明るく照らす蛍光灯などの照明光源（不図示）が配設されている。また、前記ディスプレイ扉６にはラッチ金具６ａが取付けられ、このラッチ金具６ａを外扉２のラッチピン２ａに係合させることにより前記ディスプレイ扉６は外扉２に係止されるように構成されている。
【０００５】
前記ディスプレイ台７の前端には良く知られているように各商品見本８に対応した冷温パターンが施された冷温表示体および価格表示体が配設されている。前記冷温表示体は、例えば、「つめたーい」の白抜き文字の背景に寒色（青色）の背景色を印刷したパターンや「あたたかーい」の白抜き文字の背景に暖色（赤色）の背景色を印刷したパターンが施されたものである。前記冷温表示体として無端（環状）の帯状体として形成し、これをディスプレイ台７に架け渡し、前記冷温表示体を手動にて回動させるようにした冷温表示装置が知られている（例えば、特許文献１参照）。この特許文献１に記載された発明においては次のような利点を有する。すなわち、庫内の商品を加熱（ホット），冷却（コールド）状態に保存して販売する自動販売機にあっては季節に応じて庫内の冷温区分が切り換えられるように構成されている。この庫内の冷温区分の切り換えに応じてディスプレイ台７に載置された商品見本の冷温パターンを変更せねばならないが、前記特許文献１に記載された発明においては、庫内の冷温区分の切り換えに応じて冷温表示体を手動で回動させることより冷温パターンを容易に変更することができる。
【０００６】
また、前記ディスプレイ台７の前端に配設された価格表示体は商品の販売価格を表示するものであり、一般的に透明な帯状の一枚の表示板に各商品見本に対応した販売価格の白抜き数字が表示されたものからなる。このように一枚の表示板に複数の販売価格を表示したものにおいては、商品の販売価格が変更された際には新たな販売価格を表示したシールを旧販売価格の上に貼り付けねばならない。このような煩雑な作業をなくすために販売価格を７セグメント型数字表示器や液晶ディスプレイなどからなるデジタル表示器を用い、販売価格の変更を容易にした発明も知られている（例えば、特許文献２）。
【特許文献１】特開２００５−２９３４５８号公報
【特許文献２】特開２００８−２１２４０号公報
【発明の開示】
【発明が解決しようとする課題】
【０００７】
前述した特許文献１に記載された発明においては冷温パターンの変更が容易であり、また、特許文献２に記載された発明においては販売価格の変更が容易であり、両者を組み合わせることにより冷温パターンおよび販売価格の変更を容易に行うことが可能な自動販売機を得ることができる。ところで、特許文献１に開示されているように、ディスプレイ台７の内部には商品見本８を照明するための蛍光灯が配設され、また、環状の冷温表示体をガイドするためにディスプレイ台７の後面部には内部側に突出するガイド部が形成されていることからディスプレイ台７の内部に追加部品を配設するスペースは殆どない。このため、特許文献２に記載されたデジタル表示器をディスプレイ台７の内部に配設しようとすると、ディスプレイ台７の外形寸法を大きくしなければならない。このようにディスプレイ台７の外形寸法を大きくすると外扉の厚さ（奥行き寸法）を大きくせねばならず、自動販売機の薄型化に反するとともに既設の自動販売機に適用することができないという課題を有する。
【０００８】
そこで、本発明は上記の点に鑑みなされたものであり、その目的は前記課題を解決し、ディスプレイ台の寸法を変更することなく環状の冷温表示体および販売価格表示用のデジタル表示器を搭載することが可能な自動販売機を提供することにある。
【課題を解決するための手段】
【０００９】
上記目的を達成するために請求項１に係る発明は、外扉のディスプレイ室内に配設されたディスプレイ台に複数の商品見本を左右方向に並べて載置し、当該商品見本に対応した冷温パターンを表示する環状の冷温表示体および前記複数の商品見本に対応して設けられ、当該商品見本の販売価格を個別に表示するデジタル表示器からなる価格表示体を備えた自動販売機であって、前記価格表示体は前記デジタル表示器を内蔵した左右方向に横長の価格表示モジュールとして形成して成り、前記環状の冷温表示体をディスプレイ台に配設される照明光源と前後方向に重ならないディスプレイ台の上面部近傍位置に配設し、前記価格表示モジュールを前記冷温表示体の下方領域であってディスプレイ台の前面に露出するように配設したことを特徴とする。
【００１０】
また、請求項２に係る発明は、請求項１に記載の自動販売機において、環状の冷温表示体は光透過材料からなり、ディスプレイ台の内部に配設された照明光源をバックライト光源とすることを特徴とする。
【００１１】
また、請求項３に係る発明は、請求項１に記載の自動販売機において、価格表示モジュールは複数のデジタル表示器が実装されたプリント基板と、このプリント基板およびデジタル表示器の前面を覆うフィルター部材を内蔵し、個別の価格表示を行うデジタル表示器に対応した複数の表示窓を有するケースとからなり、前記ケースをディスプレイ台に固定して成ることを特徴とする。
【００１２】
また、請求項４に係る発明は請求項３に記載した自動販売機において、ケースは白色又はフィルター部材を透視可能な無色透明であることを特徴とする。
【発明の効果】
【００１３】
本発明の請求項１に係る自動販売機によれば、外扉のディスプレイ室内に配設されたディスプレイ台に複数の商品見本を左右方向に並べて載置し、当該商品見本に対応した冷温パターンを表示する環状の冷温表示体および前記複数の商品見本に対応して設けられ、当該商品見本の販売価格を個別に表示するデジタル表示器からなる価格表示体を備えた自動販売機であって、前記価格表示体は前記デジタル表示器を内蔵した左右方向に横長の価格表示モジュールとして形成して成り、前記環状の冷温表示体をディスプレイ台に配設される照明光源と前後方向に重ならないディスプレイ台の上面部近傍位置に配設し、前記価格表示モジュールを前記冷温表示体の下方領域であってディスプレイ台の前面に露出するように配設したしたことにより、環状の冷温表示体をディスプレイ台の後面部においてガイドするためのガイド部がディスプレイ台に配設された照明光源（蛍光灯）の背後からずれた上方に位置することから照明光源（蛍光灯）をディスプレイ台の後面部に近付けることが可能となり、照明光源（蛍光灯）の前方に価格表示モジュールを配設するスペースをことができる。したがって、ディスプレイ台の外形寸法を変更することなく環状の冷温表示体および販売価格表示用のデジタル表示器を搭載することができ、既設の自動販売機への適用が可能となる。
【００１４】
また、本発明の請求項２に係る自動販売機によれば、請求項１に記載した自動販売機において、環状の冷温表示体は光透過材料からなり、ディスプレイ台の内部に配設された照明光源をバックライト光源としたことにより、夜間においても冷温パターンを明るく表示することができる。
【００１５】
また、本発明の請求項３に係る自動販売機によれば、請求項１に記載した自動販売機において、価格表示モジュールは複数のデジタル表示器が実装されたプリント基板と、このプリント基板およびデジタル表示器の前面を覆うフィルター部材を内蔵し、個別の価格表示を行うデジタル表示器に対応した複数の表示窓を有するケースとからなり、前記ケースをディスプレイ台に固定して成ることにより、複数のデジタル表示器を一括してディスプレイ台に取付けることができるので、組立てが容易となり、また、故障時の交換作業を簡単に行うことができる。
【００１６】
また、本発明の請求項４に係る自動販売機によれば、請求項３に記載した自動販売機において、ケースは白色又はフィルター部材を透視可能な無色透明とすることにより白色の場合には自動販売機を落ち着いた雰囲気とすることができ、フィルター部材を透視可能な無色透明とした場合には自動販売機をフィルター部材の色によって特徴付けることができる。
【発明を実施するための最良の形態】
【００１７】
以下、本発明における実施の形態である自動販売機を図面に基づいて説明する。
図１は本発明の実施の形態１であるディスプレイ台を示し、（ａ）はその正面図、（ｂ）は（ａ）のＡ−Ａ断面図、図２は図１のディスプレイ台を分解して示す斜視図である。なお、自動販売機の全体構成は図３に示したものと同一であり、図３に示すものと同一のものには同一の符号を付している。
【００１８】
図１において、１０は商品見本８を載置して展示するディスプレイ台であり、前方および下方が開放した箱形に形成され、その内部に後述する照明光源としての蛍光灯が配設されている。２０は前記ディスプレイ台１０の上面部近傍位置に配設され、前記ディスプレイ台に架け渡して設けられた環状の冷温表示体である。３０は前記冷温表示体２０の下方領域であってディスプレイ台１０の前面に露出するように配設された価格表示体としての価格表示モジュールである。
【００１９】
前記ディスプレイ台１０は図２の分解斜視図に示すように、商品見本８を載置する載置台１１と、この載置台１１を嵌合保持する固定部材１２とからなる。前記載置台１１は上面部１１１とこの上面部１１１の両端から下方に延在された左右側壁１１２，１１２と前面の左右両端に形成したカバー部材１１３とからなり、前記上面部１１１には商品見本８が係合する係合穴１１４が左右方向に複数（本実施の形態では１２個）並設され、また、前記載置台１１の左右側壁１１２，１１２にはそれぞれ内側に向かって突出する嵌合ピン１３が取付けられている。
【００２０】
前記載置台１１とともにディスプレイ台１０を構成する固定部材１２は、前面部１２１、上面部１２２および後面部１２３（図１（ｂ）参照）を有して前方の一部（下端）と下方が開放する断面略コ字形に形成されるとともに左右両端に上面部１２２と後面部１２３に接続された左右側壁１２４，１２４を備えている。前記固定部材１２の前面部１２１は後面部１２３に対して上下方向に短く形成され、これによりディスプレイ台１０の前方（下端）が開放している。また、前記前面部１２１には図１（ｂ）に示すように、その下端が前方側に折り曲げて形成したガイド部１２１ａが左右方向に延在して設けられ、また、各商品見本８に対応して複数（本実施の形態では１２個）の光透過窓（不図示）が形成されている。前記固定部材１２の上面部１２２は略全域にわたって開口しており、当該開口の補強のための３つの桟１２２ａが形成されるとともに３つの桟１２２ａの下面には図１（ｂ）に示すように前方側に一段下がった取付片１２２ｂが設けられている。この取付片１２２ｂには後述する価格表示モジュールを固定するねじ孔（不図示）が形成されている。また、固定部材１２の左右側壁１２４，１２４には上面部１２２に向けて一部が開放した異形溝１５が形成されている。この異形溝１５の開放部は載置台１１の左右側壁１１２，１１２に取付けられた嵌合ピン１３が通過可能な大きさに形成されており、前記固定部材１２に載置台１１を組付ける際、異形溝１５の開放部を通して嵌合ピン１３が異形溝１５に挿入される。前記異形溝１５は図１（ｂ）に示すように、前記嵌合ピン１３が挿脱されるところの上面が開口した挿脱溝部１５ａと、前記嵌合ピン１３を回転可能に軸支する前半領域の円弧状溝部１５ｂと、該円弧状溝部１５ｂに連ねて後領域に形成したスライド溝部１５ｃとを組合せた形状になる。前記異形溝１５には挿脱溝部１５ａの上端の開口を通して嵌合ピン１３が挿脱され、嵌め込まれた嵌合ピン１３をスライド溝部１５ｃに係止することにより固定部材１２に載置台１１が組付けられ、前記嵌合ピン１３を前方領域の円弧状溝部１５ｂにスライド移動させて載置台１１（商品見本８）を前方に回転させることにより載置台１１を前傾姿勢に回転させることができるものである。この異形溝１５と嵌合ピン１３との関係は本件特許出願人から特願平１１−１１５７５２号（特開２０００−３０６１５０号）として出願されて公知である。
【００２１】
前記固定部材１２の後面部１２３には図１（ｂ）に示すように、切り起こしにより形成した複数（本実施の形態では左右２個）の係止片１２３ａが形成され、この係止片１２３ａは中扉６（図３参照）に設けた穴に挿通して係止され、これにより固定部材１２が中扉６に取付けられる。また、後面部１２３には切り起しにより内側に折り曲げられてディスプレイ台７の左右方向に延在したガイド部１２３ｂが設けられている。なお、前記固定部材１２の後面部１２３の左右端部にはそれぞれ蛍光灯４０のソケット（不図示）が設けられている。
【００２２】
前記ディスプレイ台１０には、商品見本８の冷温状態を表す冷温パターンを表示した冷温表示体２０が架け渡されている。この冷温パターン表示体１２は透光性フィルムからなり、固定部材１２の左右端部で折り返して架け渡されるように環状の帯状体として形成されている。前記冷温表示体２０の外周面には周方向に沿ってディスプレイ台１０に載置された各商品見本８に対応して商品の冷蔵・温蔵状態を表す冷温パターン（不図示）が施してある。前記冷温パターンは、商品の冷蔵状態を表す場合、１パターンの単位として白抜きの文字（例えば「つめた〜い」）の背景に寒色の背景色（例えば青色）が印刷され、また、商品の温蔵状態を表す場合、１パターンの単位として白抜きの文字（例えば「あったか〜い」）の背景に暖色の背景色（例えば赤色）が印刷してある。なお、冷温パターンは冷蔵状態を表す複数の冷温パターン群と、温蔵状態を表す複数の冷温パターン群とが図２中に示す境目２０ａを境にして周方向の略半周分ずつ施されており、例えば境目２０ａから右側の半周分が温蔵状態の冷温パターン群、左側の半周分が冷蔵状態を表す冷温パターン群として形成されている。
【００２３】
前記冷温表示体２０のディスプレイ台１０への組付けの詳細については後述するが、その概略を示せば次のとおりである。すなわち、冷温表示体２０はディスプレイ台１０の開放した下方から固定部材１２の前面部１２１のガイド部１２１ａおよび後面部１２３のガイド部１２３ｂに装着され、前記固定部材１２の前面部１２１および後面部１２３の前側を通るように固定部材１２の左右端で折り返して掛け渡されている。ここで、冷温表示体２０はディスプレイ台１０に配設される照明光源としての蛍光灯４０と前後方向に重ならないディスプレイ台１０の上面部近傍位置に配設するのがよい。この場合には蛍光灯４０の前方に冷温表示体２０に加えてディスプレイ台１０（固定部材１２）の前面部１２１が存在しなくなるので空スペースを確保することができる。なお、冷温パターン表示体２０の左右の折り返し部は、蛍光灯４０のソケットよりも外側を通るように架け渡されている。また、冷温パターン表示体２０の左右の折り返し部は、載置台１１のカバー部材１１３によって覆われるように構成されている。
【００２４】
前記冷温表示体２０の下方領域にはディスプレイ台１０の前面に露出するように価格表示モジュール３０が配設されている。前記価格表示モジュール３０は図１の（ｂ）に示すように、複数のデジタル表示器３１を実装したプリント基板３２と、フィルター部材３３およびこれらを格納するケース３４からなる。
【００２５】
前記デジタル表示器３１は７セグメント型数字表示器からなり、ディスプレイ台１０に載置された商品見本８毎にそれぞれ３個（３桁）のデジタル表示器３１が用いられる。つまり、商品見本８毎に３桁のデジタル表示器３１が設けられ、当該商品見本８の販売価格を個別に表示するように構成されている。前記プリント基板３２はディスプレイ台１０上に左右に並べて載置された複数の商品見本８に対応して左右方向に横長に形成され、各商品見本８に対応してそれぞれ個別のデジタル表示器３１が実装されてなる。前記フィルター部材３３は黒色に着色された光透過性のプラスチック材料からなり、プリント基板３２と同様に左右方向に横長に形成されている。前記プリント基板３２およびフィルター部材３３を格納するケース３４は白色のプラスチック材料からなり、背面が開口した薄い有底の箱形に形成されるとともに前面（底面）にはディスプレイ台１０上に左右に並べて載置された各商品見本８に対応する位置に複数の表示窓３４１がそれぞれ開口され、前記表示窓３４１の左端（自動販売機の正面視）には￥マーク（不図示）が印刷されている。また、ケース３４には後方に延在する５個の取付片３４２が形成され、これらの取付片３４２にはねじ挿通孔が設けられている。
【００２６】
前記価格表示モジュール３０のディスプレイ台１０（固定部材１２）への組付けは、前記固定部材１２の開放された前方から価格表示モジュール３０を固定部材１２の内部に挿入する。このとき、前記価格表示モジュール３０の中央側の３つの取付片３４２を固定部材１２の３つの桟１２２ａに固定された取付片１２２ｂに対峙させ、取付片１２２ｂのねじ孔と取付片３４２のねじ挿通孔を一致させ、取付片３４２のねじ挿通孔を介して取付片１２２ｂのねじ孔にねじを捻じ込む。次いで、前記価格表示モジュール３０の左右端部の取付片３４２を固定部材１２の上面部１２２の下面に固定した取付片にねじ止めする。これにより価格表示モジュール３０が固定部材１２に固着され、価格モジュール３０が固定部材１２の前方の開放部を閉塞するとともに価格価格モジュール３０の前面が固定部材１２の前方に露出する。なお、価格表示モジュール３０におけるケース３４の頭部から上方に突出する突起３４３（図１の（ｂ）参照）は価格表示モジュール３０と固定部材１２の前面部１２１の下端との間の隙間を塞いて当該隙間から蛍光灯４０の光が漏れるのを防止するものである。
【００２７】
次に、図２に示すディスプレイ台１０の自動販売機の中扉６（図３参照）への取付けの一例について説明する。まず、価格表示モジュール３０が固着された固定部材１２に環状の冷温表示体２０を掛け渡す。この場合、前記冷温表示体２０は固定部材１２の下方から冷温表示体２０の環の中に価格表示モジュール３０を通して固定部材１２の前面部１２１のガイド部１２１ａおよび後面部１２３のガイド部１２３ｂに装着する。このように冷温表示体２０が装着された固定部材１２を中扉６に取付ける。この固定部材１２の中扉６への取付けは固定部材１２の後面部１２３に形成された係止片１２３ａを中扉６に設けた穴（不図示）に挿入して係止することにより行われる。そして、中扉６に取付けられた固定部材１２に載置台１１を組み付ける。この場合、載置台１１の左右側壁１１２に設けた嵌合ピン１３を、固定部材１２の左右側壁１２４，１２４に形成された異形溝１５における挿脱溝部１５ａの上端の開口を通して異形溝１５に挿入する。そして、異形溝１５に挿入された嵌合ピン１３をスライド溝部１５ｃに係止することにより載置台１１が固定部材１２に一体的に組付けられる。最後にディスプレイ台１０の内部に蛍光灯４０を取付けるのであるが、この場合にはディスプレイ台１０の前方の開放部、すなわち、価格表示モジュール３０の下方の開口部から蛍光灯４０を挿入し、当該蛍光灯４０をソケットに差し込んで取付ける。なお、載置台１１には予め商品見本８が載置されていてもよく、また、前述したように載置台１１を固定部材１２に取付けた後に嵌合ピン１３を異形溝１５のスライド溝部１５ｃから円弧状溝部１５ｂにスライドさせて当該位置において載置台１１を前傾姿勢に傾倒させ、この状態で商品見本８を取付けてもよいものである。
【００２８】
前述したように中扉６にディスプレイ台１０を取付けた状態において蛍光灯４０を点灯させる（自動販売機の稼動状態）と載置台１１に開口した係合穴１１４から商品見本８の内部に光が導入されて商品見本８は内部から照明されてあたかも発光体のごとく展示される。前記商品見本８を照明する蛍光灯４０の光はディスプレイ台１０の固定部材１２における前面部１２１の光透過窓を介して冷温表示体２０に照射され、これにより冷温表示体２０も明るく照らし出される。また、価格表示モジュール３０に電源を供給してデジタル表示器３１により商品価格を表示させると、当該商品価格（デジタル表示器３１の光）がフィルター部材３３を透過してケース３４の表示窓３４１に表示される。この場合、フィルター部材３３が黒色に着色されていることから表示窓３４１には黒色の背景に商品価格を示すデジタル表示器３１の数字が浮かび上がるように表示される。
【００２９】
ここで、季節の変わり目において自動販売機の庫内の冷温区分、すなわち、商品を加熱（ホット），冷却（コールド）状態に保存する複数の商品収納室の冷温区分を切り換えた場合等にはディスプレイ台１０に載置された商品見本８の冷温パターンの切り替えが必要である。このようなディスプレイ台１０における冷温パターンの切り替えは、自動販売機の外扉２を開放した後、外扉２に閉扉状態にロックされた中扉６を開放してディスプレイ台１０の前面を露出させる。そして、ディスプレイ台１０に架け渡された冷温表示体２０に指を当てて手動操作により左右方向に周回させて行う。ここで、冷温表示体２０は固定部材１２のガイド部１２１ａおよびガイド部１２３ｂに保持されてフリーな状態にあるため、指により容易に周回させることができる。なお、冷温パターン表示体２０に冷温状態を表す冷温パターン群と、温蔵状態を表す冷温パターン群とが環状の帯体の周方向の略半分ずつに施してある場合には、各商品見本８に対応する全て（１２個）に冷蔵状態の冷温パターンが位置する形態と、全て（１２個）に温蔵状態の冷温パターンが位置する形態と、冷蔵状態の冷温パターン群と温蔵状態の冷温パターン群との境目１２ａの１つが位置してその一側が冷蔵状態の冷温パターンで他側が温蔵状態の冷温パターンとなる形態とを得ることができる。
【００３０】
また、自動販売機における庫内商品の入れ替えや新商品への切り替え等により商品価格の変更が必要な場合には、自動販売機に予め設けられているリモコンボックスの設定用キーボードを操作して商品価格の変更が実行される。すなわち、設定用キーボードを操作して自動販売機を設定モードとし、所定の入力手順によって新たな商品価格を入力すると商品価格を記憶する記憶部に格納された記憶内容を更新するとともにデジタル表示器３１に新たな商品価格を表示して設定した内容を確認し、正しく設定されていることが確認されると記憶部に新たな商品価格を格納する。このように、商品価格の変更が必要な場合にはリモコンボックスの設定用キーボードを操作することにより商品価格を容易に変更することができる。
【００３１】
なお、前述した実施の形態ではフィルター部材３３は横長の一枚のプラスチックにより形成したものについて説明したが、これに限るものではなく、ケース３４の表示窓３４１を覆う大きさに形成したものを用意し、これらを表示窓３４１に貼り付けるようにすることもできる。また、価格表示モジュール３０のケース３４については白色のプラスチック材料からなり、表示窓３４１に近接して￥マークが印刷されたものについて説明したが、これに限るものではなく、ケース３４を透明なプラスチックにより形成することができる。このようにケース３４が透明であるとケース３４を介して黒色に着色されたフィルター部材３３が透視され、フィルター部材３３により他の自動販売機との差別化を図ることができる。なお、この場合にはプリント基板３２にはデジタル表示器３１の左端（自動販売機の正面視）に発光ダイオード（白色）を実装するとともにフィルター部材３３の前記発光ダイオードに対峙する位置に￥マークを印刷（デジタル表示器３１の発光色と同一色とするのがよい）しておき、発行ダイオードに￥マークを照射することにより￥マークがデジタル表示器の商品価格を示す数字と同様に浮かび上がって表示される。このように本発明は実施の形態に限られるものではなく、本発明を逸脱しない範囲で種々の変更が可能である。
【００３２】
前述したとおり本発明によれば、外扉２に形成されたディスプレイ室５内に配設されたディスプレイ台１０に複数の商品見本８を載置し、当該商品見本８に対応した冷温パターンを表示する環状の冷温表示体２０および前記複数の商品見本８に対応して設けられ、当該商品見本８の販売価格を個別に表示するデジタル表示器３１からなる価格表示体を備えた自動販売機であって、前記価格表示体は前記デジタル表示器３１を内蔵した左右方向に横長の価格表示モジュール３０として形成して成り、前記環状の冷温表示体２０をディスプレイ台１０に配設される照明光源（蛍光灯４０）と前後方向に重ならないディスプレイ台１０の上面部近傍位置に配設し、前記価格表示モジュール３０を前記冷温表示体２０の下方領域であってディスプレイ台１０の前面に露出するように配設したことにより、環状の冷温表示体２０をディスプレイ台１０の後面部１２３においてガイドするためのガイド部１２３ｂがディスプレイ台１０に配設された照明光源（蛍光灯４０）の背後からずれた上方に位置することから照明光源（蛍光灯４０）をディスプレイ台１０の後面部１２３に近付けることが可能となり、照明光源（蛍光灯４０）の前方に価格表示モジュール３０を配設するスペースをことができる。したがって、ディスプレイ台１０の外形寸法を変更することなく環状の冷温表示体２０および販売価格表示用のデジタル表示器３１を搭載することができ、既設の自動販売機への適用が可能となる。
【００３３】
前述した実施の形態においては環状の冷温表示体２０がディスプレイ台１０に配設される照明光源（蛍光灯４０）と前後方向に重ならないディスプレイ台１０の上面部近傍位置に配設されることについて説明したが、環状の冷温表示体２０がディスプレイ台１０に配設される照明光源（蛍光灯４０）と前後方向に重ならない位置とは冷温表示体２０が照明光源（蛍光灯４０）と前後方向にまったく重ならないことを意味するものではなく、ディスプレイ台１０の外形寸法を変更することなくディスプレイ台１０に価格表示モジュール３０を配設する際のレイアウトに悪影響を及ぼさない範囲で冷温表示体１０が照明光源（蛍光灯４０）と前後方向に重なってもよいものであり、実施の形態に限定されるものではない。
【図面の簡単な説明】
【００３４】
【図１】本発明の実施の形態１であるディスプレイ台を示し、（ａ）はその正面図、（ｂ）は（ａ）のＡ−Ａ断面図である。
【図２】図１のディスプレイ台を分解して示す斜視図である。
【図３】本発明の実施対象に係る自動販売機の全体構成を示す外扉開放状態の斜視図である。
【符号の説明】
【００３５】
１    本体キャビネット
２    外扉
５    ディスプレイ室
６    中扉
８    商品見本
１０    ディスプレイ台
１１    載置台
１２    固定部材
２０    冷温表示体
３０    価格表示モジュール
３１    デジタル表示器
３２    プリント基板
３３    フィルター部材
４０    照明光源（蛍光灯）
【図１】
2010026566.tif 000003
【図２】
2010026566.tif 000004
【図３】
2010026566.tif 000005